(57)【要約】      （修正有）【課題】十分な光量を確保でき且つ熱を効果的に逃がすことができる照射角度が広いＬＥＤ照明装置を提供する。【解決手段】本ＬＥＤ照明装置１は、複数のＬＥＤ２を実装するとともに、電力をＬＥＤ２に供給するための配線を有する配線基板４を備え、配線基板４は、互いに所定の角度γを成す複数のＬＥＤ実装面６を有する。ＬＥＤ実装面６は、互いに所定の角度を成す複数の平面から成っていても良く、あるいは、曲面または球面であっても良い。【選択図】図１
0003156721.tif 000002
【実用新案登録請求の範囲】
【請求項１】
ＬＥＤを光源として用いるＬＥＤ照明装置であって、
複数のＬＥＤを実装するとともに、電力を前記ＬＥＤに供給するための配線を有する配線基板を備え、
前記配線基板は、互いに所定の角度を成す複数のＬＥＤ実装面を有することを特徴とするＬＥＤ照明装置。
【請求項２】
前記ＬＥＤ実装面が互いに所定の角度を成す複数の平面から成ることを特徴とする請求項１に記載のＬＥＤ照明装置。
【請求項３】
前記ＬＥＤ実装面が曲面または球面であることを特徴とする請求項１に記載のＬＥＤ照明装置。
【請求項４】
前記配線基板が棒状の軸体から成ることを特徴とする請求項１ないし請求項３のいずれか１項に記載のＬＥＤ照明装置。
【請求項５】
前記軸体がその軸心を中心に回転可能であることを特徴とする請求項４に記載のＬＥＤ照明装置。
【考案の詳細な説明】
【技術分野】
【０００１】
本考案は、ＬＥＤを光源として用いるＬＥＤ照明装置に関する。
【背景技術】
【０００２】
近年、蛍光灯照明装置に伴なう欠点、例えば、寿命末期のちらつきや不点灯、あるいは、高消費電力といった欠点を克服するため、ＬＥＤを実装したＬＥＤ照明装置が提案されて、広く実用化されている。
【０００３】
図９には、そのような従来の蛍光灯形ＬＥＤ照明装置の一例（特許文献１）が示されている。図示のように、このＬＥＤ照明装置は、筐体１０６を備える装置本体１００と、装置本体１００を封止するための口金１０４と、蛍光灯の安定器から電力を受けるための端子１０５と、ＬＥＤ１０２を実装したプリント基板１０１と、プリント基板１０１を端子１０５に固定するための端子固定基板１０３と、プリント基板１０１を固定するためのソケット端子１０７，１０８と、一方のソケット端子１０８を固定し且つ他方のソケット端子１０７と電気的に接続するためのジョイント基板１０９と、プリント基板１０１を載置するための基板固定柱１１０と、照明カバー１１１と、端子固定基板１０３に設けられ且つプリント基板１０１を固定するためのソケット端子１１２と、プリント基板１０１に設けられ且つソケット端子１１２に挿入される基板ソケット端子１１３とを備えている。そして、この構成では、蛍光灯の安定器から端子１０５を通じて供給された交流電力が、端子固定基板１０３およびプリント基板１０１上の電気配線を介して、プリント基板１０１上に実装されたＬＥＤ１０２へ供給され、ＬＥＤ１０２が点灯される。
【先行技術文献】
【特許文献】
【０００４】
【特許文献１】特開２００８−２８２７９３号公報
【考案の概要】
【考案が解決しようとする課題】
【０００５】
ところで、ＬＥＤ照明装置は、直管型やスポットライト型など様々なタイプのものが存在するが、いずれにしても、図１０の（ａ）に示されるように、個々のＬＥＤ１０２の照射角度θが１２０°〜１４０°と狭い上に、ＬＥＤ１０２が全体にわたって水平な基板１０１に実装されている（図９も参照）ため、複数のＬＥＤ１０２を様々な位置関係で配置したとしても、その全体の照射角度αが限られたものとなる。そのため、図１０の（ｂ）に示されるように、ＬＥＤ照明装置２００を用いて例えば室内空間Ｓを照明すると、蛍光灯などの既存の照明器具によって照明できるはずの被照明領域の全て（図１０の（ｂ）の四角い枠内の室内空間Ｓの全て）を照明することができず、照明されない暗い領域Ｓ’が生じてしまう場合がある（ＬＥＤ照明装置の照射範囲が図中に一点破線で示されている）。
【０００６】
また、このような照射角度に伴なう問題に対処するため、従来のＬＥＤ照明装置では、例えばレンズの反射（あるいは、スリット、ガラス屈折）を利用して照射角度を広げることも行なわれているが、そのようなレンズ方式では、ＬＥＤ１０２から放射される光がレンズを通過することにより拡散されるため、光量（照度）が落ちてしまうという問題がある。すなわち、ＬＥＤ１０２は、ほぼ直線的な光を放射するため、光が届く箇所での照度（ルクス）は蛍光灯よりも高いが、拡散レンズの取り付けを行なうと、本来の光量が得られなくなる。したがって、例えば照明器具を増設して光量を補うなどの措置を講じなければならず、省電力およびＣＯ２削減というＬＥＤの利益を効果的に享受し得なくなる場合がある。これは、直管型やスポットライト型など、あらゆるＬＥＤ照明装置において言えることである。
【０００７】
以上のように、直管型やスポットライト型などのＬＥＤ照明装置は、光を放つ方向がほぼ直線的であるため、設置状況などによっては、ほぼ３６０°の方向で光を放つ白熱球などの既存の照明装置の代替物として利用できない場合がある。
【０００８】
また、ＬＥＤ照明装置は、放射される光がほぼ直線的であるというその固有の特性により、熱を幅広く分散することが難しく、熱を逃がす工夫も求められる。つまり、ＬＥＤを光源として用いる照明装置では、熱処理の問題もまた重要となる。
【０００９】
本考案は、前記事情に着目してなされたものであり、その目的とするところは、十分な光量を確保でき且つ熱を効果的に逃がすこともできる照射角度が広いＬＥＤ照明装置を提供することにある。
【課題を解決するための手段】
【００１０】
前記課題を解決するために、請求項１に記載のＬＥＤ照明装置は、ＬＥＤを光源として用いており、複数のＬＥＤを実装するとともに、電力を前記ＬＥＤに供給するための配線を有する配線基板を備え、前記配線基板は、互いに所定の角度を成す複数のＬＥＤ実装面を有することを特徴とする。
【００１１】
この請求項１に記載のＬＥＤ照明装置によれば、互いに所定の角度を成す複数のＬＥＤ実装面の存在により、ＬＥＤ実装面に実装される複数のＬＥＤが様々な異なる方向に光を放つことができるため、全体として（複数のＬＥＤの協働により）幅広い照射角度を実現でき、また、放射熱を幅広く効果的に分散させることができる。また、レンズなどによって光を拡散させる必要がなくなるため、十分な光量（照度）を確保できる。
【００１２】
また、請求項２に記載のＬＥＤ照明装置は、請求項１に記載のＬＥＤ照明装置において、前記ＬＥＤ実装面が互いに所定の角度を成す複数の平面から成ることを特徴とする。
【００１３】
この請求項２に記載のＬＥＤ照明装置によれば、請求項１に記載のＬＥＤ照明装置と同様の作用効果が得られるとともに、平面状の安定した実装面を確保でき、これにより、個々のＬＥＤを異なる方向に効果的且つ簡単に向けることが可能となって、幅広い照射角度を効率良く実現できる。
【００１４】
また、請求項３に記載のＬＥＤ照明装置は、請求項１に記載のＬＥＤ照明装置において、前記ＬＥＤ実装面が曲面または球面であることを特徴とする。
【００１５】
この請求項３に記載のＬＥＤ照明装置によれば、請求項１に記載のＬＥＤ照明装置と同様の作用効果が得られるとともに、実装面同士が成す角度を連続的に細かく変えることができ、したがって、個々のＬＥＤの照射方向を細かく連続的に異ならせることが可能となり、幅広い領域にわたって均一な照度を確保することも可能になる。
【００１６】
また、請求項４に記載のＬＥＤ照明装置は、請求項１ないし請求項３のいずれか１項に記載のＬＥＤ照明装置において、前記配線基板が棒状の軸体から成ることを特徴とする。
【００１７】
この請求項４に記載のＬＥＤ照明装置によれば、請求項１ないし請求項３のいずれか１項に記載のＬＥＤ照明装置と同様の作用効果が得られるとともに、ＬＥＤを３次元的に満遍なく配置してほぼ３６０度の照射角度を得ることが可能になり、また、放射熱の効果的な分散を実現できる。
【００１８】
また、請求項５に記載のＬＥＤ照明装置は、請求項４に記載のＬＥＤ照明装置において、前記軸体がその軸心を中心に回転可能であることを特徴とする。
【００１９】
この請求項５に記載のＬＥＤ照明装置によれば、請求項４に記載のＬＥＤ照明装置と同様の作用効果が得られるとともに、軸体が回転できるため、軸体の全周にわたってＬＥＤを設置しなくても、所望の方向を選択的に照射することができ、特にスポット照明において有益となる。
【考案の効果】
【００２０】
本考案によれば、十分な光量を確保でき且つ熱を効果的に逃がすこともできる照射角度が広いＬＥＤ照明装置が提供される。
【図面の簡単な説明】
【００２１】
【図１】（ａ）は全体にわたって水平面状の配線基板にＬＥＤが実装された従来のＬＥＤ照明装置の概略図、（ｂ）は本発明の第１の実施形態に係るＬＥＤ照明装置の概略図、（ｃ）は（ｂ）の変形例に係るＬＥＤ照明装置の概略図である。
【図２】図１の（ｂ）（ｃ）のＬＥＤ照射装置によって室内空間を照明した様子を概略的に示す図である。
【図３】（ａ）は全体にわたって水平面状の配線基板にＬＥＤが実装された従来のＬＥＤ照明装置の概略図、（ｂ）は本発明の第２の実施形態に係るＬＥＤ照明装置の概略図である。
【図４】（ａ）は従来の白熱電球を天井面の凹部内に設置した状態を示す概略図、（ｂ）は全体にわたって水平面状の配線基板にＬＥＤが実装された従来のＬＥＤ照明装置を天井面の凹部内に設置した状態を示す概略図、（ｃ）は図３の（ｂ）のＬＥＤ照明装置を天井面の凹部内に設置した状態を示す概略図である。
【図５】（ａ）は図３の（ｂ）のＬＥＤ照明装置の変形例を示す概略正面図、（ｂ）は（ａ）のＬＥＤ照明装置の概略平面図である。
【図６】本発明の第１の実施形態を角型のＬＥＤ照明装置に適用した例を示し、（ａ）は斜視図、（ｂ）は側面図である。
【図７】本発明の第１の実施形態を丸型のシーリングタイプのＬＥＤ照明装置に適用した例を示し、（ａ）は概略斜視図、（ｂ）は正面図、（ｃ）は概略側面図である。
【図８】本発明のＬＥＤ照明装置の複合的な配置形態の一例を示す平面図である。
【図９】従来のＬＥＤ照明装置の分解斜視図である。
【図１０】（ａ）は全体にわたって水平面状の配線基板にＬＥＤが実装された従来のＬＥＤ照明装置の概略図、（ｂ）は（ａ）のＬＥＤ照射装置によって室内空間を照明した様子を概略的に示す図である。
【考案を実施するための形態】
【００２２】
以下、添付図面を参照して、本考案の実施形態について説明する。
【００２３】
図１の（ｂ）は本発明の第１の実施形態に係るＬＥＤ照明装置の概略図を示している。図示のように、本実施形態のＬＥＤ照明装置１は、ＬＥＤを光源として用いる蛍光灯型のＬＥＤ照明装置であり（円形の枠の中に概念的に示されている）、複数のＬＥＤ２を実装し且つ電力をＬＥＤ２に供給するための配線（図示せず）を有する配線基板（例えば、プリント配線基板）４を備えている。この配線基板４は、例えば蛍光灯の安定器から電力を受けるための端子に接続されており、図９を含む周知の機械的・電気的構造により実装ＬＥＤ２の点灯を可能にする。
【００２４】
また、配線基板４は、例えば樹脂（ポリカーボネートなど）またはアルミから成り、互いに所定の角度γを成す複数のＬＥＤ実装面６，６，６を有する。具体的に、本実施形態では、ＬＥＤ実装面が互いに所定の角度を成す複数の平面６，６，６から成る。しかしながら、ＬＥＤ実装面６は、図１の（ｃ）に示されるように、球面または円弧状の曲面（例えば、断面が半円）であっても良い。また、各ＬＥＤ実装面６には１または複数のＬＥＤ２が実装される。
【００２５】
なお、図１の（ｂ）では、互いに所定の角度γを成す３つの平面状のＬＥＤ実装面６，６，６が隣接して（断面が略台形状に）描かれているが、平面６の数は任意であり、また、平面６，６同士が成す角度γは個別に異なっていても良い。また、平面６，６同士の相対的な配置形態も任意である。
【００２６】
図１の（ｂ）（ｃ）に示されるようなＬＥＤ照明装置１によれば、互いに所定の角度を成す複数のＬＥＤ実装面６の存在により、それぞれのＬＥＤ実装面６に実装される複数のＬＥＤ２（個々の照射角度θは従来通り）が様々な異なる方向に光を放つことができるため、全体として（複数のＬＥＤ２の協働により）幅広い照射角度βを実現できる。
【００２７】
すなわち、図１の（ａ）は、図１０に示される従来のＬＥＤ照明装置２００を示しているが、この従来の構成では、前述したように、個々のＬＥＤ１０２の照射角度θが１２０°〜１４０°と狭い上に、ＬＥＤ１０２が全体にわたって水平な配線基板１０１に実装されているため、全体の照射角度αが限られたものとなる。これに対し、本実施形態のＬＥＤ照明装置１では、図１の（ｂ）（ｃ）に示されるように、個々のＬＥＤ２の照射角度θは従来通りであるが、互いに所定の角度を成す複数のＬＥＤ実装面６の存在により、全体の照射角度βは従来に比べて格段に広くなる。したがって、図２に示されるように、ＬＥＤ照明装置１を用いて例えば室内空間Ｓを照明すると、室内空間Ｓの全ての領域を満遍なく照明することができ（ＬＥＤ照明装置１の照射範囲が図２中に一点破線で示されている）、図１０の（ｂ）に示されるような照明されない暗い領域Ｓ’が生じてしまうことがない。
【００２８】
以上説明したように、本実施形態のＬＥＤ照明装置１によれば、互いに所定の角度を成す複数のＬＥＤ実装面６，６，６の存在により、ＬＥＤ実装面６，６，６に実装される複数のＬＥＤ２（個々の照射角度θは従来通り）が様々な異なる方向に光を放つことができるため、全体として（複数のＬＥＤ２の協働により）幅広い照射角度を実現でき、また、放射熱を幅広く効果的に分散させることができる。また、レンズなどによって光を拡散させる必要がないことから、十分な光量（照度）を確保できる。
【００２９】
この場合、図１の（ｂ）に示されるように、ＬＥＤ実装面が互いに所定の角度を成す複数の平面６，６，６から成っていれば、平面状の安定した実装面を確保できるとともに、個々のＬＥＤ２を異なる方向に効果的且つ簡単に向けることができ、幅広い照射角度を効率良く実現できる。また、図１の（ｃ）に示されるように、ＬＥＤ実装面６が曲面または球面である場合には、実装面６，６同士が成す角度を連続的に細かく変えることができ、したがって、個々のＬＥＤ２の照射方向を細かく連続的に異ならせることができ、幅広い領域にわたって均一な照度を確保することも可能になる。
【００３０】
図３の（ｂ）は本発明の第２の実施形態に係るＬＥＤ照明装置１Ａを示している。図示のように、本実施形態のＬＥＤ照明装置１Ａは、スポットライト型のものであり、配線基板４Ａが棒状の軸体から成っている。この場合、軸体基板４Ａには、その外周側面上にほぼ全周にわたって所定の間隔でＬＥＤ２が実装されるとともに、軸体基板４Ａの上端にもＬＥＤ２が実装されている。軸体基板４Ａの外周側面上の各ＬＥＤ実装面６，６同士は、その曲面形態に起因して、互いに所定の角度γを成しており、また、軸体基板４Ａの上端のＬＥＤ実装面６も軸体基板４Ａの外周側面上の各ＬＥＤ実装面６と所定の角度（略９０度）を成している。
【００３１】
このような構成のＬＥＤ照明装置１Ａによれば、第１の実施形態と同様の作用効果が得られるとともに、ＬＥＤ２を３次元的に満遍なく配置してほぼ３６０度の照射角度βを得ることが可能になり、また、放射熱の効果的な分散も実現できる。これに対し、図３の（ａ）に示されるようにＬＥＤ１０２が全体にわたって水平な配線基板１０１に実装される従来のスポットライト型ＬＥＤ照明装置３００では、全体の照射角度αが限られたものとなる。
【００３２】
図４は、ダウンライトの形態、すなわち、天井面２０に加工された凹部２２内の側面に照明装置が横付け設置される形態において、図３の（ｂ）に示されるＬＥＤ照明装置１Ａの下方照射角度（図４の（ｃ）・・・図中に一点鎖線で示される）を、従来の白熱電球１５０（図４の（ａ））および従来のスポットライト型ＬＥＤ照明装置３００（図４の（ｂ））の下方照射角度と比較して示している。これらの図からも分かるように、第２の実施形態に係るスポットライト型ＬＥＤ照明装置１Ａの下方へ向けた照射角度は、従来の白熱電球１５０の下方照射角度に匹敵し、また、従来のスポットライト型ＬＥＤ照明装置３００の下方照射角度よりも格段に広くなる。
【００３３】
図５は第２の実施形態の変形例を示している。この変形例に係るＬＥＤ照明装置１Ａ’では、軸体基板４Ａがその軸心Ｏを中心に回転可能となっている。したがって、この変形例に係るＬＥＤ照明装置１Ａ’によれば、第２の実施形態と同様の作用効果が得られるとともに、軸体基板４Ａが回転できるため、軸体基板４Ａの全周にわたってＬＥＤ２を設置しなくても（実際に、本変形例では、ＬＥＤ２が、軸体基板４Ａの外周側面の一部のみにわたって軸長方向に一列に配列されているだけである）、所望の方向を選択的に照射することができる。
【００３４】
図６は、第１の実施形態の構成を角型のＬＥＤ照明装置に適用した例を示している。このＬＥＤ照明装置１Ｂは、互いに所定の角度を成す平面状の３つのＬＥＤ実装面６，６，６から成る配線基板４Ｂが天井２０に取り付けられて成り、各ＬＥＤ実装面６，６，６には多数のＬＥＤ２が複数列で長手方向に配列されている。また、この構成では、各ＬＥＤ実装面６が独立のパネル基板として形成され、それぞれのパネル基板が所定の角度を成して着脱自在に連結されることにより配線基板４Ｂが構成されても良い。
【００３５】
また、図７は、第１の実施形態の構成を丸型のシーリングタイプのＬＥＤ照明装置に適用した例を示している。このＬＥＤ照明装置１Ｃは、互いに所定の角度を成す２つのＬＥＤ実装面、すなわち、円形の平板状のＬＥＤ実装面６（底面）と、このＬＥＤ実装面６の外周縁から上方へ斜め外側に立ち上がる曲面状のＬＥＤ実装面６’（周側面）とから成る配線基板４Ｃが照明カバー３２に覆われた状態で天井２０のシーリング取り付け部３０に取り付けられて成り、各ＬＥＤ実装面６，６’には多数のＬＥＤ２が円形の列を成して配列されている。
【００３６】
図８は、第１の実施形態に係る蛍光灯型の複数のＬＥＤ照明装置１を所定の形態で縦横に配列した複合的配置形態の一例を示している。このような複合的な配置形態により、各ＬＥＤ２からの照射範囲が重なり合い、十分な光量を確保できるようになる。
【符号の説明】
【００３７】
１，１Ａ，１Ｂ，１Ｃ  ＬＥＤ照明装置
２  ＬＥＤ
４，４Ａ，４Ｂ，４Ｃ  配線基板
４Ａ  軸体
６，６’  ＬＥＤ実装面
Ｏ  軸心
【図１】
0003156721.tif 000003
【図２】
0003156721.tif 000004
【図３】
0003156721.tif 000005
【図４】
0003156721.tif 000006
【図５】
0003156721.tif 000007
【図６】
0003156721.tif 000008
【図７】
0003156721.tif 000009
【図８】
0003156721.tif 000010
【図９】
0003156721.tif 000011
【図１０】
0003156721.tif 000012